(57)【要約】【課題】板状断熱材の補強を容易に行うことのできる板状断熱材の補強構造及び方法を提供する。【解決手段】断熱板３３を補強部材３５によって厚さ方向に補強するようにしたので、商品収納庫３０内の冷却または加熱によって断熱板３３と仕切板３６との隙間の発生を防止することができ、冷却側の商品収納庫３０と加熱側の商品収納庫３０との間の熱移動を減少させて消費電力の低減を図ることができる。また、断熱板３３の端面に補強部材３５に設けた突片３５ｂを差込むことにより補強部材３５を断熱板３３に固着させて断熱板３３を厚さ方向に補強するようにしたので、補強部材３５を断熱板３３に容易に組付けることができ、断熱板３３の補強に要する工数を少なくすることができる。【選択図】図１５
2005128840.tif 000002
【特許請求の範囲】
【請求項１】
板状断熱材の端面の長手方向に延びる補強部材を板状断熱材の端面の長手方向に亘って固着することにより板状断熱材を厚さ方向に補強する板状断熱材の補強構造であって、
前記板状断熱材の端面に補強部材に設けた突片を圧入して差し込むことにより補強部材を板状断熱材に固着させた
ことを特徴とする板状断熱材の補強構造。
【請求項２】
一つの板状断熱材を少なくとも二つの部材に分割するとともに、互いに分割された各部材の端面の長手方向に延びる補強部材を少なくとも一部の部材の端面の長手方向に亘って固着することにより、補強部材を各部材の端面間に介在させて板状断熱材を厚さ方向に補強する板状断熱材の補強構造であって、
少なくとも一部の部材の端面に補強部材に設けた突片を圧入して差し込むことにより補強部材を少なくとも一部の部材に固着させた
ことを特徴とする板状断熱材の補強構造。
【請求項３】
前記補強部材の突片を補強部材の長手方向複数箇所に互いに間隔をおいて設けた
ことを特徴とする請求項１または２記載の板状断熱材の補強構造。
【請求項４】
前記補強部材に板状断熱材の外面側に屈曲する屈曲部を設けた
ことを特徴とする請求項１、２または３記載の板状断熱材の補強構造。
【請求項５】
一つの板状断熱材を少なくとも二つの部材に分割するとともに、互いに分割された各部材の端面の長手方向に延びる補強部材を少なくとも一部の部材の端面の長手方向に亘って固着することにより、補強部材を各部材の端面間に介在させて板状断熱材を厚さ方向に補強する板状断熱材の補強方法であって、
厚さ方向の少なくとも一方の面に可撓性の面材を固着された板状断熱材を厚さ方向他方の面から一方の面の面材を除いて所定方向に切断し、
切断された板状断熱材の一方の部材を他方の部材に対して面材で繋がれた状態で折り曲げ、
板状断熱材の一方の部材の切断面に補強部材に設けた突片を圧入して差し込むことにより補強部材を一方の部材に固着した後、
板状断熱材の各部材を折り曲げ状態から平板状に戻す
ことを特徴とする板状断熱材の補強方法。
【請求項６】
前記板状断熱材の各部材を折り曲げ状態から平板状に戻した後、
板状断熱材の一方の部材と他方の部材の厚さ方向他方の面同士を接合する
ことを特徴とする請求項５記載の板状断熱材の補強方法。
【発明の詳細な説明】
【技術分野】
【０００１】
本発明は、例えば自動販売機の商品収納庫に用いられる断熱板等の板状断熱材を厚さ方向に補強するための板状断熱材の補強構造及びその方法に関するものである。
【背景技術】
【０００２】
従来、ビンまたは缶入り飲料の商品を冷却または加熱して販売する自動販売機としては、自動販売機本体内に断熱材によって囲まれた商品収納庫を備え、商品収納庫内を幅方向に断熱性の仕切板によって仕切ることにより一方の庫室を冷却し、他方の庫室を加熱して冷たい商品と温かい商品とをそれぞれ販売するようにしたものが知られている。
【特許文献１】特開平１０−１１６３８５号公報
【発明の開示】
【発明が解決しようとする課題】
【０００３】
しかしながら、前記自動販売機では、商品収納庫内の冷却または加熱によって、商品収納庫内の背面側断熱材が厚さ方向に変形し、背面側断熱材と仕切板の背面側との間に隙間が生じて、その隙間から冷却側の商品収納庫と加熱側の商品収納庫との間で熱が移動することにより、消費電力量が増加するという問題点があった。
【０００４】
また、断熱材を厚さ方向に補強する場合は、補強部材を断熱材にネジ止めや接着によって固着する必要があるため、補強部材の組付けが容易でないという問題点があった。
【０００５】
本発明は前記問題点に鑑みてなされたものであり、その目的とするところは、補強部材の組付けを容易に行うことのできる板状断熱材の補強構造及びその方法を提供することにある。
【課題を解決するための手段】
【０００６】
本発明は前記目的を達成するために、板状断熱材の端面の長手方向に延びる補強部材を板状断熱材の端面の長手方向に亘って固着することにより板状断熱材を厚さ方向に補強する板状断熱材の補強構造であって、前記板状断熱材の端面に補強部材に設けた突片を圧入して差し込むことにより補強部材を板状断熱材に固着させている。これにより、補強部材に設けた突片を板状断熱材の端面に差込むことにより補強部材が板状断熱材に固着される。
【発明の効果】
【０００７】
本発明によれば、補強部材を板状断熱材に容易に組付けることができるので、例えば自動販売機の商品収納庫用の板状断熱材を補強する場合でも、補強に要する工数を少なくすることができる。また、板状断熱材の補強により、商品収納庫内の熱による板状断熱材の厚さ方向の変形を防止することができるので、板状断熱材と仕切板との間に隙間が生ずることがなく、冷却側の商品収納庫と加熱側の商品収納庫との間の熱移動を減少させて消費電力の低減を図ることができる。
【発明を実施するための最良の形態】
【０００８】
図１乃至図１１は本発明の第１の実施形態を示すもので、図１は自動販売機の全体斜視図、図２は外扉及び内扉を開放した自動販売機の全体斜視図、図３及び図４は自動販売機の分解斜視図、図５は補強部材の斜視図、図６乃至図１５は補強部材の取付工程を示す図である。
【０００９】
この自動販売機は、前面を開口した自動販売機本体１０と、自動販売機本体１０の前面を開閉する外扉２０と、自動販売機本体１０内に設けられた商品収納庫３０とを備えている。
【００１０】
自動販売機本体１０は、外面を形成する外箱１１と、その下部に設けられた機械室１２とを備え、機械室１２内には図示しない冷却装置や電装ユニットを備えている。
【００１１】
外扉２０は、前面に商品サンプル２１、商品選択スイッチ２２、硬貨投入口２３、紙幣投入口２４、硬貨返却口２５及び商品取出口２６を備え、その幅方向一端側を自動販売機本体１０に回動自在に支持されている。
【００１２】
商品収納庫３０は、底面側、上面側、背面側及び左右両側面側に配置された断熱板３１，３２，３３，３４と、背面側断熱板３３の厚さ方向の変形を防止する補強部材３５と、商品収納庫３０内を幅方向に分割する仕切板３６とから構成され、その前面は断熱性の内扉４０によって開閉するようになっている。
【００１３】
断熱板３１，３２，３３，３４はウレタン等の部材を発泡及び硬化させることにより板状に形成され、断熱板３１，３２，３３，３４の厚さ方向両面がクラフト材またはＰＥＴ材等の薄膜状の面材３１ａ，３２ａ，３３ａ，３４ａによってそれぞれ被覆されている。
【００１４】
補強部材３５は、背面側断熱板３３の幅方向の寸法よりもやや小さい寸法で幅方向に延びる板状の部材からなり、その前端側には上方に屈曲する屈曲部３５ａが形成されている。また、補強部材３５の後端側には上方に屈曲する複数の突片３５ｂが互いに幅方向に間隔をおいて設けられている。
【００１５】
仕切板３６はウレタン等の部材を発泡及び硬化させることにより板状に形成された断熱性の部材からなり、周端部には図示しないパッキン等の部材により商品収納庫３０内に圧着するようになっている。
【００１６】
以上のように構成された自動販売機において、断熱板３３の補強を行う場合は、図６及び図７の破線に示すように、断熱板３３の上下方向略中央部を背面側の面材３３ａを切断することなく前面から水平方向に切断する。次に、図８及び図９に示すように、切断された断熱板３３の上側の部材３３´及び下側の部材３３´の背面側がそれぞれ向い合う方向に断熱板３３を折り曲げた後、図１０及び図１１に示すように、補強部材３５の屈曲部３５ａの内側を断熱板３３の外面に当接させた状態で補強部材３５の突片３５ｂを上側の部材３３´の切断面に差込む。更に、図１２及び図１３に示すように、折り曲げられた断熱板３３を再び平面状に戻した後、図１４及び図１５に示すように、補強部材３５の上から断熱板３３の上側及び下側の部材３３´に粘着テープ５０を貼り付けることにより、各部材３３´の前面側が接合されて断熱板３３が平板状に保持される。このようにして補強された断熱板３３を用いて自動販売機本体１０内の商品収納庫３０を形成することにより、仕切板３６の背面側と断熱板３３とを常に隙間なく当接させることが可能となる。
【００１７】
このように、本実施形態の自動販売機によれば、断熱板３３の厚さ方向の変形を防止する補強部材３５を備えたので、商品収納庫３０内の冷却または加熱によって断熱板３３と仕切板３６との隙間の発生を防止することができ、冷却側の商品収納庫３０と加熱側の商品収納庫３０との間の熱移動を減少させることが可能となり、消費電力の低減を図ることができる。
【００１８】
また、断熱板３３の端面に補強部材３５に設けた突片３５ｂを差込むことにより補強部材３５を断熱板３３に固着させて断熱板３３を厚さ方向に補強するようにしたので、補強部材３５を断熱板３３に容易に組付けることができ、断熱板３３の補強に要する工数を少なくすることができる。
【００１９】
また、一つの断熱板３３を少なくとも二つの部材に分割するとともに、互いに分割された各部材の端面の長手方向に延びる補強部材３５を少なくとも一部の部材の端面に固着することにより、補強部材３５を各部材の端面間に介在させて断熱板３３を厚さ方向に補強するようにしたので、断熱板３３の中央部を補強することができ、断熱板３３の周端部のみでなく中央部の厚さ方向の補強を行うことができる。
【００２０】
また、補強部材３５の突片３５ｂを補強部材３５の長手方向複数箇所に互いに間隔をおいて設けたので、各突片３５ｄを断熱板３３の切断面に容易に差込むことができ、補強部材３５を断熱板３３に確実に固着させることができる。
【００２１】
また、補強部材３５に断熱板３３の外面側に屈曲する屈曲部３５ａを設けたので、屈曲部３５ａを断熱板３３の外面に当接させながら補強部材３５を取付けることができ、補強部材３５の取付作業を正確に行うことができる。
【００２２】
また、厚さ方向両面に面材３３ａが設けられた断熱板３３を厚さ方向他方の面から一方の面の面材を除いて所定方向に切断し、切断された断熱板３３を面材で繋がれた状態で折り曲げ、断熱板３３の一方の部材の切断面に補強部材３５に設けた突片３５ｂを差し込むことにより補強部材３５を一方の部材に固着した後、断熱板３３の各部材を折り曲げ状態から平板状に戻すようにして断熱板３３の厚さ方向に補強するようにしたので、断熱板３３を完全に分離することなく補強部材３５を取付けることができ、補強部材３５の取付作業をより一層容易に行うことができる。
【００２３】
また、断熱板３３の各部材を折り曲げ状態から平板状に戻した後、断熱板３３の一方の部材と他方の部材の厚さ方向他方の面同士を粘着テープ５０で接合するようにしたので、断熱板３３が切断箇所で折れ曲がることがなく、断熱板３３を平板状に保持することができる。
【００２４】
尚、前記実施形態では、二つに切断した断熱板の切断面に補強部材を固着するようにしたものを示したが、三つ以上に切断して各切断面にそれぞれ補強部材を介在させるようにしてもよいし、切断しない断熱板の端面に補強部材を固着するようにしてもよい。
【００２５】
また、前記実施形態では、本発明を自動販売機の断熱板に適用したものを示したが、自動販売機以外に用いられる板状断熱材にも本発明を適用することができる。
【図面の簡単な説明】
【００２６】
【図１】本発明の一実施形態を示す自動販売機の全体斜視図
【図２】外扉及び内扉を開放した自動販売機の全体斜視図
【図３】自動販売機の分解斜視図
【図４】自動販売機の分解斜視図
【図５】補強部材の斜視図
【図６】補強部材の取付工程を示す斜視図
【図７】補強部材の取付工程を示す要部側面断面図
【図８】補強部材の取付工程を示す斜視図
【図９】補強部材の取付工程を示す要部側面断面図
【図１０】補強部材の取付工程を示す斜視図
【図１１】補強部材の取付工程を示す要部側面断面図
【図１２】補強部材の取付工程を示す斜視図
【図１３】補強部材の取付工程を示す要部側面断面図
【図１４】補強部材の取付工程を示す斜視図
【図１５】補強部材の取付工程を示す要部側面断面図
【符号の説明】
【００２７】
３３…断熱材、３５…補強部材、３５ａ…屈曲部、３５ｂ…突片、５０…粘着テープ。
【図１】
2005128840.tif 000003
【図２】
2005128840.tif 000004
【図３】
2005128840.tif 000005
【図４】
2005128840.tif 000006
【図５】
2005128840.tif 000007
【図６】
2005128840.tif 000008
【図７】
2005128840.tif 000009
【図８】
2005128840.tif 000010
【図９】
2005128840.tif 000011
【図１０】
2005128840.tif 000012
【図１１】
2005128840.tif 000013
【図１２】
2005128840.tif 000014
【図１３】
2005128840.tif 000015
【図１４】
2005128840.tif 000016
【図１５】
2005128840.tif 000017